(57)【要約】【課題】製造が容易であり且つ耐久性に優れた建造物の保護又は装飾用カバーを提供する。【解決手段】植物繊維を主原料として抄造した紙層を湿紙の状態でロールに巻き付けて積層、切断、及び乾燥して成る板紙基材１１を取り付け対象部材の形状に合わせて成形し、成形された板紙基材１１に樹脂１３を含浸させて、樹脂１３を硬化させることによってカバーを製造する。カバーには必要に応じて彩色・塗装を施し、ネジ釘などを用いて柱等に取り付ける。【選択図】図７
2018096129.tif 000002
【特許請求の範囲】
【請求項１】
建造物を構成する部材の表面に取り付けられるカバーであって、
a)植物繊維を主原料として抄造された紙層を湿紙の状態でロールに巻き付けて積層、切断、及び乾燥して成る板紙基材を取り付け対象部材の形状に合わせて成形した成形体と、
b)前記成形体に含浸され、硬化された樹脂と、
を有することを特徴とする建造物の保護又は装飾用カバー。
【請求項２】
表面に彩色又は塗装が施されていることを特徴とする請求項１に記載の建造物の保護又は装飾用カバー。
【請求項３】
前記樹脂が漆であることを特徴とする請求項１又は２に記載の建造物の保護又は装飾用カバー。
【請求項４】
建造物を構成する部材の表面に取り付けられるカバーの製造方法であって、
a)植物繊維を主原料として抄造した紙層を湿紙の状態でロールに巻き付けて積層、切断、及び乾燥して成る板紙基材を取り付け対象部材に応じた形状に成形する成形工程と、
b)成形した前記板紙基材に樹脂を含浸させる含浸工程と、
c)前記樹脂を硬化させる硬化工程と、
を有することを特徴とする建造物の保護又は装飾用カバーの製造方法。
【請求項５】
更に、
d)前記硬化工程後の前記板紙基材の表面に彩色又は塗装を施す彩色・塗装工程、
を有することを特徴とする請求項４に記載の建造物の保護又は装飾用カバーの製造方法。
【発明の詳細な説明】
【技術分野】
【０００１】
本発明は、文化財や古民家などの建造物の柱や天井などを保護・装飾するためのカバーに関する。
【背景技術】
【０００２】
寺社仏閣などの歴史的建造物において、柱や天井に彩色や塗装等による装飾が施されている場合がある。こうした装飾は時間の経過と共に退色・剥離するため、従来、柱等を彩色又は塗装し直すことによる修復が行われてきた。しかし、このように柱等に直接彩色等を施すことで修復を行った場合、オリジナルの彩色や塗装が不可逆的に覆い隠されてしまうという問題があった。
【０００３】
そこで、発明者らは、既存の彩色や塗装を保存したまま創建当時の色彩鮮やかな外観を再現する方法として、彩色や塗装を施した厚紙を基材とするカバーを作成し、それを柱等に被せてねじ釘等の金具で固定する方法を考案した。この方法において、前記厚紙は予め取り付け箇所の形状に沿うように屈曲され、その後、樹脂（合成樹脂や漆などの天然樹脂）を含浸させて固めることにより、その形状が安定的に保持される。
【０００４】
このような紙製のカバーは、柱の裏側などの目立たない箇所で金具によって固定されるため、オリジナルの彩色や塗装を殆ど損なうことがない。また、必要に応じてカバーを取り外すことによりオリジナルの状態を確認することも可能である。更に、カバーへの彩色や塗装は施工場所以外の場所で行うことができるため、柱等に直接彩色する場合に比べて作業効率にも優れている。
【先行技術文献】
【特許文献】
【０００５】
【特許文献１】特公昭53-043209号公報（第1頁）
【発明の概要】
【発明が解決しようとする課題】
【０００６】
しかしながら、こうしたカバー用の基材として一般的な厚紙である抄き合わせ板紙を用いた場合、樹脂を十分に含浸させることが困難な場合や、樹脂を含浸させた際に撓みが生じる場合があった。また、カバーしようとする部材（柱等）の形状が複雑な場合、それに合わせて厚紙を複雑に折り曲げる必要があるが、通常の厚紙は紙目（紙の流れ目）と交差する方向には折り曲げると紙の繊維が折りに反発して折り目の表面が裂けたり、折り皺が発生したりするためカバーの製造が困難となるという問題があった。また、一般的な厚紙は、経年劣化により層状に剥がれてくることがあるため、こうした厚紙を上記カバーの基材として用いた場合には定期的な修復や交換が必要になるという問題があった。
【０００７】
本発明は上記の点に鑑みて成されたものであり、その目的とするところは、製造が容易であり且つ耐久性に優れた建造物の保護又は装飾用カバーを提供することにある。
【課題を解決するための手段】
【０００８】
上記課題を解決するために成された本発明に係る建造物の保護又は装飾用カバーは、建造物を構成する部材の表面に取り付けられるカバーであって、
a)植物繊維を主原料として抄造された紙層を湿紙の状態でロールに巻き付けて積層、切断、及び乾燥して成る板紙基材を取り付け対象部材の形状に合わせて成形した成形体と、
b)前記成形体に含浸され、硬化された樹脂と、
を有することを特徴とする。
【０００９】
ここで「湿紙」とは、植物繊維の懸濁液を網で漉し取ることで得られる、水分を多く含んだ層状の植物繊維の集合体である。
【００１０】
本発明における板紙基材は、パルプ又は古紙等の植物繊維を主原料として巻取板紙抄紙機で製造されたものであり、より具体的には、植物繊維等を水に分散させて成る紙料を長網又は円網上に載せることにより紙層を形成させ、７０〜９０％の水分を含んだ状態で該紙層をワインドアップロール上に巻き付けて多層に積層し、所望する厚さとなった時点で切断してロールから外すことによりシート状とし、これを乾燥させることにより製造されるものである。こうした板紙基材については、例えば特許文献１に記載されている。
【００１１】
このようにして製造された板紙基材は、一般的な厚紙である抄き合わせ板紙に比べて優れた強度（引張強度が29〜59 N/mm2）と保形性を有しており、屈曲加工等の加工が容易であるという特性を有している。また、前記板紙基材は適度な吸水性を有するため、漆などの樹脂を容易に含浸させることができる。なお、こうした板紙基材としては、例えば、北越紀州製紙株式会社製、パスコ（登録商標）を好適に用いることができる。
【００１２】
なお、前記板紙基材としては、厚さが0.8 mm〜4.0 mm、より望ましくは1.5 mm〜3.5 mmであって、密度が0.8 g/cm3〜1.5 g/cm3、より望ましくは0.9 g/cm3〜1.3 g/cm3のものを用いることが望ましい。
【００１３】
また、本発明に係る建造物の保護又は装飾用カバーは、その表面に彩色又は塗装が施されたものとすることが望ましい。
【００１４】
また、本発明に係るカバーにおいて、板紙基材に含浸させる樹脂は天然樹脂であっても合成樹脂であってもよいが、特に、天然樹脂である漆を用いることが望ましい。漆を用いた場合には、本発明に係るカバーに防腐効果や防虫効果が付与されるため、より優れた耐久性や取り付け対象部材の保全効果が期待できる。また、漆を含浸させて乾燥させた（すなわち乾漆化させた）後は、漆箔の貼付や顔料による彩色といった古典技法による装飾が可能であるため、文化財等の装飾を兼ねた保護カバーとして適している。
【００１５】
また、本発明に係る建造物の保護又は装飾用カバーの製造方法は、
a)植物繊維を主原料として抄造した紙層を湿紙の状態でロールに巻き付けて積層、切断、及び乾燥して成る板紙基材を取り付け対象部材に応じた形状に成形する成形工程と、
b)成形した前記板紙基材に樹脂を含浸させる含浸工程と
c)前記樹脂を硬化させる硬化工程と、
を有することを特徴としている。
【発明の効果】
【００１６】
以上で説明した通り、上記本発明によれば、製造が容易であって且つ耐久性に優れた建造物の保護又は装飾用カバーを提供することが可能となる。
【図面の簡単な説明】
【００１７】
【図１】本発明の一実施例におけるカバーの製造方法において裁断された板紙基材を示す図。
【図２】裁断された板紙基材の別の例を示す図。
【図３】板紙基材の継ぎ足し方法を説明する図であって、(a)は突き合わせ継ぎ、(b)は相杓り継ぎを示す。
【図４】板紙基材の成形工程において板紙基材に水を添加する様子を示す図。
【図５】板紙基材の成形工程において板紙基材を型台に固定した状態を示す図。
【図６】板紙基材の成形工程の別の例を示す図。
【図７】同実施例における生地固め工程を説明する図。
【図８】生地固め工程の別の例を示す図。
【図９】同実施例における彩色・塗装工程を説明する図。
【図１０】彩色・塗装工程の別の例を示す図。
【図１１】彩色・塗装工程において彩色済みのシート又は図柄が印刷されたシートを貼り付ける場合を示す図。
【図１２】彩色済みのシート又は図柄が印刷されたシートを貼り付ける場合の別の例を示す図。
【図１３】本実施例に係るカバーの柱への設置方法を説明する図。
【図１４】本実施例に係るカバーをネジ釘で固定した状態を示す断面図。
【図１５】本実施例に係るカバーの貫への設置方法を説明する図。
【図１６】本実施例に係るカバーの斗への設置方法を説明する図。
【発明を実施するための形態】
【００１８】
以下、本発明を実施するための形態について実施例を挙げて説明を行う。
【実施例】
【００１９】
本実施例に係るカバーは、乾漆によって強化した板紙基材に、伝統的手法による装飾を施して成る文化財の装飾及び保護用のカバーである。
【００２０】
本実施例では、板紙基材として「パスコ」（北越紀州製紙株式会社製）の品名「Ａ５」（密度1.1 g/cm3、厚さ2.0 mm）又は品名「Ｅ」（密度1.1 g/cm3、厚さ3.2 mm）を使用する。なお、厚みは本実施例に係るカバーの取り付け対象箇所の形状や規模に応じて選択することが望ましい。例えば、対象箇所が大規模な場合や単純形状である場合には比較的厚手のものを使用し、対象箇所が小規模な場合や複雑形状である場合には比較的薄手のものを使用する。
【００２１】
以下、本実施例に係るカバーの製造方法について添付図面を参照しつつ説明を行う。
【００２２】
＜採寸・型取り＞
まず、取り付け対象部材の寸法を計測すると共に、取り付け対象部材の各所に型取り用紙を当てて輪郭等をトレースする（これを型取りとよぶ）。
【００２３】
＜型紙作製＞
続いて、上記の採寸・型取りに合せて通常の厚紙を裁断することにより型紙を作製する。
【００２４】
＜型紙仮合せ及び調整＞
型紙を取り付け対象部材に嵌め合せ、整合を確認する。誤差が目立つ箇所がある場合は型紙の切り取り、又は継ぎ足しを行う。
【００２５】
＜板紙基材の裁断及び継ぎ足し・補強＞
完成した型紙に合せて板紙基材１１を裁断する（図１、図２）。なお、必要な寸法が板紙基材の寸法(例えば1150 mm×1830 mm)の大きさを超える場合は、板紙基材の継ぎ足しを行う。その場合には、接合しようとする板紙基材１１同士の表面を平らに合わせるようにし、図３（ａ）に示すような突き合わせ継ぎ(「すり合わせ継ぎ」ともよばれる)、又は図３（ｂ）に示すような相杓（しゃく）り継ぎ（「相欠き継ぎ」ともよばれる）等で接合する。また、必要により継ぎ目やその他必要な箇所に板紙基材や和紙、繊維材等による裏打ち貼りを施したり、金属板を貼り付けたりして補強する。なお、接合及び裏打ち貼りには接着剤を用い、更に必要な場合はナットボルトを併用等して補強する。
【００２６】
＜板紙基材の成形＞
裁断した板紙基材１１に対し、取り付け対象部材の形状に合わせた曲げ加工や折り加工を行う。曲げ加工の場合は、板紙基材１１に水を含ませ（図４）、必要により型台１２に沿わせて紐３２などで固定し、乾燥させる（図５）。折り加工の場合は、折った際に内側になる面の折り線に沿ってカッターで筋目を入れた上で、板紙基材１１を所望の形状に折り曲げる（図６）。
【００２７】
＜仮合せ及び調整＞
上記工程により成形された板紙基材（本発明における成形体に相当）を取り付け対象部材に嵌め合せ、整合を確認する。誤差が目立つ箇所がある場合は、板紙基材１１の切り取り又は継ぎ足しを行う。
【００２８】
＜生地固め＞
成形した板紙基材１１（成形体）の表裏に生漆１３を十分に染みこませるように塗布し（図７、図８）、乾燥させることにより乾漆化する。
【００２９】
＜再仮合せ及び調整＞
生地固めを行うことにより板紙基材１１の柔軟性がやや失われるため、取り付け対象部材の形状との馴染みを再確認する。誤差が目立つ箇所がある場合は、板紙基材１１の切り取り、または継ぎ足しを行う。継ぎ足しを行った箇所については、上記同様に生地固めを行う。
【００３０】
＜彩色・塗装＞
まず、後で塗布する礬水（どうさ）や胡粉の定着が良くなるよう、乾漆化した板紙基材１１の表面を空研ぎする。その後、前記表面の彩色予定箇所に礬水（膠とミョウバンの混合液から成る滲み止め）を塗布し、膠液と溶き合わせた胡粉を彩色予定面全体に塗布する。続いて、予めオリジナルの図柄を写し取っておいた草稿を前記彩色予定面に当て、念紙（ねんし：木炭の粉や顔料を塗布した紙）を用いて図柄を転写する。その後、金箔を貼る箇所に丹の具（にのぐ：胡粉に丹（赤土）を混合した絵具）を数回重ねて隆起させ（これを「置上げ」とよぶ）、置上げの上に膠を用いて金箔を貼り付ける。続いて、所定の文様や繧繝彩色（うんげんさいしき：同一系統の色彩の濃淡の変化を、ぼかしの方法によらず、数段階に分けて順次濃淡をつけていく彩色技法）の薄色、濃色を段階的に塗布し、仕上げに岩絵具掛けや線書き等を行う（図９、図１０）。
【００３１】
なお、上記のような膠彩色のほか、樹脂絵具を用いた彩色を施すことも可能である。この場合、上記同様に生地固めを行った後、白色の樹脂絵具で下塗りをし、図柄の転写を行う。その後、必要に応じて置き上げを行った上で、樹脂絵具による着彩を行う。
【００３２】
また、上記のように乾漆化した板紙基材１１に直接彩色を施すほか、上記同様に礬水引きや金箔貼り、彩色等を行った和紙等のシートを乾漆化した板紙基材１１に貼り付けるようにしてもよい（図１１、図１２）。また、所定の文様や彩色を表す印刷を施したシートを乾漆化した板紙基材１１に貼り付けるようにしても良い。なお、前記シートとしては、和紙のほか、洋紙や布など、シート状の物品であればいかなる物を用いてもよい。
【００３３】
＜再々仮合せ及び調整＞
彩色・塗装を行うことによっても板紙基材１１の柔軟性が僅かに失われることがあるため、取り付け対象部材の形状との馴染みを再確認する。誤差が余程目立つ箇所がある場合は切り取り、または継ぎ足しを行い、継ぎ足しを行った箇所については、生地固めと彩色・塗装等の補足を行う。
【００３４】
続いて、以上により完成したカバーを種々の部材に取り付ける際の方法について、図１３〜図１６を参照しつつ説明する。なお、図１３〜図１６には、本体カバー２１ａ、カバー小片２１ｂ、カバー２１ｃ、カバー２１ｄ、第１カバー２１ｅ、及び第２カバー２１ｆを図示しているが、説明上、特に区分する必要のない場合は、「カバー２１」と表記する）
【００３５】
本実施例に係るカバー２１を貫（ぬき：柱と柱を横に貫く連結材）３０で連結された円柱の一つに取り付ける場合には、図１３に示すように、円筒形に成形し、貫３０が通る箇所をコの字状に切り抜いたカバー（以下「本体カバー２１ａ」とよぶ）を製造すると共に、前記切り抜き箇所の貫３０が通される箇所以外の部分（貫の後ろに位置する部分）に嵌め込み可能な別部材のカバー（以下「カバー小片２１ｂ」とよぶ）を製造しておく。なお、図中では便宜上、カバー小片２１ｂを網掛けで示しているが、カバー小片２１ｂには本体カバー２１ａと同様の彩色を施しておく。本体カバー２１ａには四隅に直接ねじ穴２３を設けると共に、ねじ穴２３の周囲に金属ワッシャー２５及びスポンジワッシャー２６を接着する（後述の図１４参照）。また、取り付け対象部材を保護するため、本体カバー２１ａ及びカバー小片２１ｂの裏面には、化繊から成る養生紙２７を貼り付けておく。取り付け時には、本体カバー２１ａを広げながら取り付け対象部材である円柱に押し込み、その後、カバー小片２１ｂを貫３０の後ろ部分に嵌め込み、裏打ち２２によって本体カバー２１ａに接合する。続いて、本体カバー２１ａの四隅に設けられたねじ穴２３にネジ釘２４を挿通し、ネジ釘２４によって本体カバー２１ａを前記円柱に固定する。図１４にカバー２１をネジ釘２４によって取り付け対象部材３１に取り付けた状態の断面を示す。
【００３６】
本実施例に係るカバー２１を貫に取り付ける場合には、図１５に示すように棒状に折り加工した上で乾漆化して成る二枚の板紙基材１１を直列に並べ、コの字型に折り加工した上で乾漆化して成る裏打ち部材２８を用いて連結し、更に、連結部分の表面に和紙２９を貼り付けて被覆した上で、彩色等を施すことによりカバー２１を製造する。カバー２１には貫３０の上面に位置する箇所に複数個のねじ穴２３を設け、上記同様にカバー２１の裏面に金属ワッシャーやスポンジワッシャー、及び養生紙を貼り付けた上で、カバー２１を押し広げながら貫に下方から押し込むようにして取り付ける。その後、ねじ穴２３にネジ釘２４を挿通し、ネジ釘２４によってカバー２１を貫に固定する。
【００３７】
本実施例に係るカバー２１を斗（ます：社寺建築の柱の上あるいは肘木の先端にあり、別の肘木や桁を受ける方形の受け木）に取り付ける場合には、図１６に示すように、斗の周面のうち三面に沿うように形成したコの字型の第１カバー２１ｅと前記周面の残りの一面に沿うように形成した第２カバー２１ｆとを製造し、第１カバー２１ｅを押し広げて斗に嵌め込んだ上で第２カバー２１ｆを第１カバー２１ｅに設けられた糊代に糊付けする。なお、斗のように小型の部材であれば、ネジ釘を用いず、カバー２１の一部を取り付け対象部材に引っ掛けることで固定することが可能である。
【００３８】
以上、本発明を実施するための形態について実施例を挙げて説明を行ったが、本発明は上記実施例に限定されるものではなく、本発明の趣旨の範囲で適宜変更が許容される。例えば、上記実施例ではネジ釘を用いてカバーを取り付け対象部材に取り付ける構成としたが、ネジ釘の代わりにマグネット留めや、四分一材による押さえ込み等による固定を採用することもできる。なお、マグネット留めとする場合、カバーの裏面に磁石又は鉄などの強磁性体を取り付けると共に、取り付け対象部材の側にも対応する位置に前記カバーに取り付けた磁石又は強磁性体に吸着されるように磁石又は強磁性体を取り付ける。また、漆の代わりに、合成樹脂溶液(エポキシ樹脂溶液、ウレタン樹脂溶液等)を用いるようにしてもよい。この場合も、漆を用いる場合と同様に、前記合成樹脂溶液を板紙基材に含浸させて乾燥させることにより、板紙基材の強化及び形状保持を行う。
【００３９】
また、上記の例では、彩色や塗装が施された柱に、創建当時の外観を再現したカバーを取り付けるものとしたが、本発明に係るカバーは必ずしもこれに限定されるものではない。例えば、本発明に係るカバーは、表面に彩色や塗装が施されていないものとすることもできる。この場合でも、建造物の柱等に該カバーを装着することで、当該柱等の保護を図ることができる。また、本発明に係るカバーは、彩色や塗装が施されていない柱等に取り付けてもよい。この場合、カバーに塗装や彩色等による装飾を施しておくことで、当該柱等に直接塗装等を施すことなく装飾を付与することが可能となる。
【符号の説明】
【００４０】
１１…板紙基材
１２…型台
１３…生漆
２１…カバー
２３…穴
２４…ネジ釘
２５…金属ワッシャー
２６…スポンジワッシャー
２７…養生紙
３１…取り付け対象部材
【図１】
2018096129.tif 000003
【図２】
2018096129.tif 000004
【図３】
2018096129.tif 000005
【図４】
2018096129.tif 000006
【図５】
2018096129.tif 000007
【図６】
2018096129.tif 000008
【図７】
2018096129.tif 000009
【図８】
2018096129.tif 000010
【図９】
2018096129.tif 000011
【図１０】
2018096129.tif 000012
【図１１】
2018096129.tif 000013
【図１２】
2018096129.tif 000014
【図１３】
2018096129.tif 000015
【図１４】
2018096129.tif 000016
【図１５】
2018096129.tif 000017
【図１６】
2018096129.tif 000018